(57)【要約】      （修正有）【課題】機械的強度及び絶縁性が高いフリーアクセスフロア用の支持具を提供する。【解決手段】フリーアクセスフロア用支持具１は、第１金具１０、絶縁キャップ２０及び第２金具３０からなる金具ユニットと、この金具ユニットを支持するための支持脚４０とにより構成されている。第１金具１０は、裏面側の角部に装着穴が形成されたフロアパネル５０の裏面側が載置される第１台座部１１と、この第１台座部１１の表面側に突設され、装着穴に嵌入される複数の第１凸部１２とを有している。絶縁キャップ２０は、第１台座部１１が嵌入される第１凹部２１と、この第１凹部の周縁の底面側に所定の高さの耐圧確保用の側壁２２が延設され、この側壁２２により包囲されて形成された第２凹部２３とを有している。更に、第２金具３０は、第２凹部２３に嵌入される第２台座部３１と、この第２台座部２３の裏面側に突設された筒状部材３２とを有している。【選択図】図１
0003175054.tif 000002
【実用新案登録請求の範囲】
【請求項１】
裏面側の角部に装着穴が形成されたフロアパネルの前記裏面側が載置される平板状の第１台座部と、前記第１台座部の表面側に突設され、前記装着穴に嵌入される複数の第１凸部と、を有する第１金具と、
前記第１台座部が嵌入される第１凹部と、前記第１凹部の周縁の底面側に所定の高さの耐圧確保用の側壁が延設され、前記側壁により包囲されて形成された第２凹部と、を有する絶縁キャップと、
前記第２凹部に嵌入される平板状の第２台座部と、支持脚の支柱を挿着するために前記第２台座部の裏面側に突設された筒状部材と、を有する第２金具と、
を備えたフリーアクセスフロア用支持具であって、
前記第１台座部の裏面側と前記第１凹部とが固定されると共に、前記第２凹部と前記第２台座部の表面側とが固定されて、前記第１金具、前記絶縁キャップ及び前記第２金具がユニット化されていることを特徴とするフリーアクセスフロア用支持具。
【請求項２】
前記第１台座部の裏面側と前記第１凹部とが接着剤により接着されて固定されていると共に、前記第２凹部と前記第２台座部の表面側とが接着剤により接着されて固定されていることを特徴とする請求項１記載のフリーアクセスフロア用支持具。
【請求項３】
前記第１台座部の裏面側には、複数の第２凸部が突設され、
前記第１凹部内の底面には、前記各第２凸部がそれぞれ嵌入される複数の第３凹部が形成されていることを特徴とする請求項１又は２記載のフリーアクセスフロア用支持具。
【請求項４】
前記第２台座部の表面側には、複数の第３凸部が突設され、
前記第２凹部内の底面には、前記各第３凸部がそれぞれ嵌入される複数の第４凹部が形成されていることを特徴とする請求項１又は２記載のフリーアクセスフロア用支持具。
【請求項５】
前記第２台座部の表面側には、複数の第３凸部が突設され、
前記第２凹部内の底面には、前記各第３凸部がそれぞれ嵌入される複数の第４凹部が形成されていることを特徴とする請求項３記載のフリーアクセスフロア用支持具。
【請求項６】
前記各第１凸部は、筒状をなし、
前記筒状内には、前記フロアパネルを螺子止めするための螺子止め用ナットが装着されていることを特徴とする請求項１〜５のいずれか１項に記載のフリーアクセスフロア用支持具。
【請求項７】
前記第１台座部及び前記第２台座部は、それぞれ略方形の平板状金属部材により形成されていることを特徴とする請求項１〜６のいずれか１項に記載のフリーアクセスフロア用支持具。
【請求項８】
前記絶縁キャップの前記側壁は、略方形の枠状をなすことを特徴とする請求項１〜７のいずれか１項に記載のフリーアクセスフロア用支持具。
【請求項９】
前記筒状部材の側面には、前記筒状部材を前記支持脚の前記支柱に固定するための第１止め螺子が植設されていることを特徴とする請求項１〜８のいずれか１項に記載のフリーアクセスフロア用支持具。
【考案の詳細な説明】
【技術分野】
【０００１】
本考案は、オフィス、サーバルーム、制御機器室等のフリーアクセスフロア（二重床）を構成するために用いられるフロアパネルを支持するフリーアクセスフロア用支持具に関するものである。
【背景技術】
【０００２】
従来、床下に空間（スペース）を形成し、電源線、電話線、ローカル・エリア・ネットワーク（ＬＡＮ）ケーブル等を当該スペースに配線することにより、室内に美観をもたせるようにした床構造であるフリーアクセスフロアが知られている。フリーアクセスフロアは、基本的に、フロアパネルと支持脚とから構成されるが、近年は耐震用の補強フレーム等が付加されているものもある。
【０００３】
フリーアクセスフロアは、感電事故防止のため、耐圧を確保する絶縁部が施されている。感電事故の例として、フロアパネル上に設置された配線盤を作業者が保守・点検（メンテナンス）する際に、落雷等によりその配線盤に雷電流が侵入した場合、フリーアクセスフロアの絶縁特性が低いと、雷電流が、配線盤→作業者→フロアパネル→支持脚→接地のルートで流れ、作業者が感電する可能性がある。
【０００４】
このような感電事故を防止するために、フリーアクセスフロアを構成するフロアパネルは、例えば、下記の特許文献１、特許文献２等に開示されているように、金属層と、この上に形成された絶縁層との２層構造になっている。金属層は、機械的強度の大きな金属を用いたダイカスト部により形成されている。ダイカストは、金型鋳造法の１つであって、溶融した金属を金型に圧入することにより、高い寸法精度の鋳物を生産する鋳造方式である。又、絶縁層は、合成樹脂、ゴム等の絶縁部により形成されている。
【０００５】
ところが、この種のフリーアクセスフロアでは、例えば、次の（１）〜（４）のような問題や不都合な点がある。
【０００６】
（１）  フロアパネル１枚の部材は、できるだけ低廉であることが望まれる。しかし、従来のフロアパネルは、金属層の上に全面にわたって絶縁層を配置しているため、部材費が高い。又、従来のフロアパネルは、製造工程において金属層と絶縁層とを螺子止め、或いは接着剤で一体化しているため、組み立て工数も多く、製造コストも高い。
【０００７】
（２）  フリーアクセスフロアが適用される場所は、面積の広いワンフロアオフィス、サーバルーム、制御機器室等であり、敷き詰められる方形のフロアパネル（サイズは例えば、幅（Ｗ）５００ｍｍ×縦（Ｄ）５００ｍｍ×高さ（Ｈ）５０ｍｍ）の枚数は、場合によっては数千枚に及ぶこともある。このように、敷設面積が広くなればなるほど、前記（１）の問題が大きくなる。
【０００８】
（３）  フロアパネルを複数敷き詰めた際、フロアパネル同士の境界には、どうしても多少の隙間ができることがある。このような隙間部位では、フロアパネル側面に沿って沿面放電が生じる可能性があり、作業者が感電する可能性もある。沿面放電を発生し難くするためには、絶縁層の厚みを厚くし、フロアパネル側面における絶縁層上部と金属層上部との距離を長くすることが一案である。しかし、絶縁層の材料は合成樹脂材やゴム材であるので、絶縁層の厚さを厚くしすぎると、絶縁層の強度が弱くなってひび割れが生じたりする弊害が発生してしまう。そのため、可能な限り絶縁層の厚さを厚くしたとしても、耐圧値の限界は２０ｋＶ程度である。
【０００９】
（４）  フロアパネルは、リサイクルできない場合は廃棄することとなるが、環境配慮の観点から絶縁層の総量は少ないほど望ましい。
【００１０】
このような（１）〜（４）の点を解決するための技術として、例えば、下記の特許文献３にフリーアクセスフロア用支持具が開示されている。フリーアクセスフロアは、フロアパネルとこの支持具とから構成されるが、特許文献３の技術では、フロアパネルに絶縁部を設けるのではなく、支持具に絶縁部を設けている。
【００１１】
即ち、特許文献３のフリーアクセスフロア用支持具は、フロアパネルの裏面側が載置される受け金具と、この受け金具を垂直方向に支持する支持脚とを備え、その受け金具に絶縁部である絶縁性の保護キャップを被せ、そのフロアパネルの裏面を、保護キャップを介して受け金具に載置する構成になっている。一般に、フロアパネルの裏面側の角部には、装着穴が形成されているので、これに対応して、金具の表面側には、前記装着穴に嵌入するための複数の凸部が設けられている。そのため、保護キャップには、金具の表面側の複数の凸部を嵌入するための複数の凹部が形成されている。又、保護キャップと受け金具との間には、緩衝用シートを介在させている。
【先行技術文献】
【特許文献】
【００１２】
【特許文献１】特開２００９−２８１０７２号公報
【特許文献２】実用新案登録第３１２３５１８号公報
【特許文献３】実用新案登録第３１６６２７４号公報
【考案の概要】
【考案が解決しようとする課題】
【００１３】
しかしながら、特許文献３に開示された従来のフリーアクセスフロア用支持具では、次の（ｉ）、（ｉｉ）のような課題があった。
【００１４】
（ｉ）  フロアパネルは、例えば、金属層上に絶縁層が配置された２層構造になっており、この金属層の裏面側が、絶縁性の保護キャップ上に載置されるので、人の移動や地震等によって、フロアパネルに垂直方向や水平方向に大きな荷重の振動が加わると、保護キャップが摩耗や破損するおそれがある。特に、保護キャップには、金具の表面側の複数の凸部を嵌入するための複数の凹部が形成され、その保護キャップの表面側が平らではないので、前記振動に対する機械的強度が小さい。又、保護キャップと受け金具との間には、緩衝用シートを介在させているが、前記水平方向の振動に対してはそれを吸収できない。
【００１５】
（ｉｉ）  保護キャップを単に受け金具に被せる構成になっているので、前記のように、垂直方向や水平方向に大きな荷重の振動が加わると、保護キャップと受け金具との間ががたついて、保護キャップが破損し易くなり、機械的強度及び絶縁性の低下を招く。
【課題を解決するための手段】
【００１６】
本考案のフリーアクセスフロア用支持具は、第１金具と、絶縁キャップと、第２金具とを備えている。
【００１７】
前記第１金具は、裏面側の角部に装着穴が形成されたフロアパネルの前記裏面側が載置される平板状の第１台座部と、前記第１台座部の表面側に突設され、前記装着穴に嵌入される複数の第１凸部を有している。前記絶縁キャップは、前記第１台座部が嵌入される第１凹部と、前記第１凹部の周縁の底面側に所定の高さの耐圧確保用の側壁が延設され、前記側壁により包囲されて形成された第２凹部とを有している。前記第２金具は、前記第２凹部に嵌入される平板状の第２台座部と、前記第２台座部の裏面側に突設された筒状部材とを有している。
【００１８】
そして、前記第１台座部の裏面側と前記第１凹部とが固定（好ましくは、接着剤により接着）されると共に、前記第２凹部と前記第２台座部の表面側とが固定（好ましくは、接着剤により接着）されて、前記第１金具、前記絶縁キャップ及び前記第２金具がユニット化されている。
【考案の効果】
【００１９】
本考案のフリーアクセスフロア用支持具によれば、次の（ａ）〜（ｅ）のような効果がある。
【００２０】
（ａ）  フロアパネルの裏面側と支持脚との間は、絶縁キャップにより電気的に絶縁されているので、複数敷き詰められたフロアパネル間の境界に生じる沿面放電を防止できる。特に、絶縁キャップの側壁の高さを調整することにより（即ち、数種類の絶縁キャップを用意しておき、選択することで）、所望の耐圧性能のフリーアクセスフロアを容易に構築できる。
【００２１】
（ｂ）  第１金具、絶縁キャップ及び第２金具は、これらの部品間が嵌合及び接着剤により結合されてユニット化されているので、現場でのフリーアクセスフロアの構築作業を簡単且つ的確に行うことができる。
【００２２】
（ｃ）  フロアパネルの裏面側と絶縁キャップとの間には、第１金具が介在し、更に、その絶縁キャップと支持脚側との間には、第２金具が介在しているので、人の移動や地震等によって、フロアパネルに垂直方向や水平方向に大きな荷重の振動が加わっても、絶縁キャップの摩耗や破損を防止できる。特に、第１金具側の第１台座部と絶縁キャップ側の第１凹部とが平らな面で接合し、絶縁キャップ側の第２凹部と第２金具側の第２台座部とが平らな面で接合しているので、前記振動に対して絶縁キャップの機械的強度が大きい。
【００２３】
（ｄ）  第１金具、絶縁キャップ及び第２金具は、これらの部品間が嵌合及び接着剤により結合されているので、前記のように、垂直方向や水平方向に大きな荷重の振動が加わっても、前記部品間ががたつかず、絶縁キャップの破損や、機械的強度及び絶縁性の低下を防止できる。
【００２４】
（ｅ）  各フロアパネル側の装着穴を、各第１凸部に螺子等で固定すれば、各フロアパネルがより安定化する。
【図面の簡単な説明】
【００２５】
【図１】図１は本考案の実施例１におけるフリーアクセスフロア用支持具を示す構成図である。
【図２】図２は図１中の第１金具を示す構成図である。
【図３】図３は図１中の絶縁キャップを示す構成図である。
【図４】図４は図１中の第２金具を示す構成図である。
【図５】図５は図１中のフロアパネルが４枚隣接して配置された角部分を示す平面図である。
【図６】図６は本考案の実施例２におけるフリーアクセスフロア用支持具を示す構成図である。
【図７】図７は図６中の第１金具を示す構成図である。
【図８】図８は図６中の絶縁キャップを示す構成図である。
【図９】図９は図６中の第２金具を示す構成図である。
【考案を実施するための形態】
【００２６】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００２７】
（実施例１の構成）
図１（ａ）、（ｂ）は、本考案の実施例１におけるフリーアクセスフロア用支持具を示す構成図であり、同図（ａ）はフリーアクセスフロア用支持具の斜視図、及び同図（ｂ）は同図（ａ）の分解斜視図である。図２（ａ）〜（ｃ）は、図１中の第１金具を示す構成図であり、同図（ａ）は平面図、同図（ｂ）は同図（ａ）中のＨ１−Ｈ２線断面図、及び同図（ｃ）は底面図である。図３（ａ）〜（ｃ）は、図１中の絶縁キャップを示す構成図であり、同図（ａ）は平面図、同図（ｂ）は同図（ａ）中のＨ１１−Ｈ１２線断面図、及び同図（ｃ）は底面図である。図４（ａ）〜（ｃ）は、図１中の第２金具を示す構成図であり、同図（ａ）は平面図、同図（ｂ）は同図（ａ）中のＨ２１−Ｈ２２線断面図、及び同図（ｃ）は底面図である。更に、図５は、図１中のフロアパネルが４枚隣接して配置された角部分を示す平面図である。
【００２８】
図１（ａ）、（ｂ）に示すように、本実施例１のフリーアクセスフロア用支持具１は、フロアパネル５０を水平に保持するものであり、そのフロアパネル５０の裏面側が載置される第１金具１０と、この第１金具１０が嵌入される絶縁キャップ２０と、この絶縁キャップ２０に嵌入される第２金具３０と、上部がその第２金具３０に着脱自在に挿着されてその第２金具３０を支持する支持脚４０とにより構成されている。
【００２９】
図５に示す４枚のフロアパネル５０（＝５０−１〜５０−４）は、それぞれ方形（サイズは例えば、幅（Ｗ）５００ｍｍ×縦（Ｄ）５００ｍｍ×高さ（Ｈ）５０ｍｍ）をなし、隣接して配置されている。４枚のフロアパネル５０−１〜５０−４の隣接する角部分は、１つの第１金具１０上に載置されている。各フロアパネル５０は、図示しないが、例えば、方形の金属層と、この上に形成された絶縁層との２層構造になっている。各フロアパネル５０の裏面側の４つの角部には、略方形の支持具取り付け用装着穴５１がそれぞれ形成されている。
【００３０】
図１（ａ）、（ｂ）及び図２（ａ）〜（ｃ）に示すように、第１金具１０は、略方形の平板状をなす第１台座部１１を有している。第１台座部１１は、隣接する４枚のフロアパネル５０−１〜５０−４の角部の裏面側が載置されるものであり、この第１台座部１１の表面側に、複数（例えば、４つ）の第１凸部１２（＝１２−１〜１２−４）が突設されている。各第１凸部１２は、各フロアパネル５０の裏面側の略方形の装着穴５１にそれぞれ嵌入されるものであり、略角筒状をしている。各第１凸部１２内の下部には、各フロアパネル５０を螺子止めするための螺子止め用ナット１３をそれぞれ装着しても良い。
【００３１】
図１（ａ）、（ｂ）及び図３（ａ）〜（ｃ）に示すように、絶縁キャップ２０は、第１台座部１１が嵌入される第１凹部２１と、この第１凹部２１の周縁の底面側に所定の高さの耐圧確保用の側壁２２が延設され、この側壁２２により包囲されて形成された第２凹部２３と、を有し、硬質性合成樹脂等の絶縁部材により形成されている。側壁２２は、略方形の枠状をしており、この高さを調整することにより（例えば、数種類の絶縁キャップを用意しておき、選択することで）、需要に応じた耐圧性能（例えば、４０ｋＶ以上の耐圧性能）のフリーアクセスフロアを構築することが可能になっている。
【００３２】
図１（ａ）、（ｂ）、図３（ｂ）及び図４（ａ）〜（ｃ）に示すように、第２金具３０は、絶縁キャップ２０側の第２凹部２３に嵌入される略方形の平板状の第２台座部３１と、この第２台座部３１の裏面側に突設された円筒状の筒状部材３２と、を有している。筒状部材３２の側面には、第１止め螺子３３が植設されている。
【００３３】
図１（ａ）、（ｂ）に示すように、支持脚４０は、円柱状の支柱４１と、この支柱４１の下部に固定されてこの支柱４１を垂直方向に保持する板状のベース部４２とを有し、機械的強度の大きな金属等で形成されている。支柱４１の上部は、第２金具３０側の筒状部材３２内に着脱自在に挿着される部分であり、この部分に、高さ調整用の雄螺子からなる螺子部４３が形成されている。螺子部４３には、円筒部材３２の下端を支持するための高さ調整用ナット４４が螺合されている。ナット４４には、雌螺子が形成されている。ナット４４の側面には、このナット４４を螺子部４３に固定するための第２止め螺子４５が植設されている。ナット４４の高さを変えることにより、筒状部材３２の高さを調整することが可能になっている。筒状部材３２に植設された第１止め螺子３３を締め付けることにより、その筒状部材３２が螺子部４３に固定される。
【００３４】
第１金具１０側の第１台座部１１と絶縁キャップ２０側の第１凹部２１とが接着剤により接着されると共に、その絶縁キャップ２０側の第２凹部２３と第２金具３０側の第２台座部３１とが接着剤により接着され、第１金具１０、絶縁キャップ２０及び第２金具３０からなる金具ユニットが構成されている。
【００３５】
（実施例１の製造・使用例）
絶縁キャップ２０の第１凹部２１内の底面及び第２凹部２３内の底面にそれぞれ接着剤を塗布し、第１金具１０側の第１台座部１１裏面をその第１凹部２１内に嵌入すると共に、第２金具３０側の第２台座部３１表面をその第２凹部２３内に嵌入し、第１金具１０、絶縁キャップ２０及び第２金具３０からなる所望の耐圧性能を有する金具ユニットを製造する。
【００３６】
支持脚４０側のベース部４２をボルト等で床に固定し、ナット４４を回転させて高さを調整し、第２止め螺子４５を締め付けてそのナット４４を螺子部４３に固定する。金具ユニットの筒状部材３２を螺子部４３に被せてナット４４上に載置し、第１止め螺子３３を締め付けてその筒状部材３２を螺子部４３に固定する。
【００３７】
その後、４枚のフロアパネル５０−１〜５０−４の裏面側の各装着穴５１内に４つの第１凸部１２−１〜１２−４をそれぞれ嵌め込めば、フロアパネル５０−１〜５０−４が水平に保持され、フリーアクセスフロアが完成する。なお、各フロアパネル５０−１〜５０−４側の装着穴５１を、各第１凸部１２−１〜１２−４に螺子等で固定しても良い。
【００３８】
（実施例１の効果）
本実施例１のフリーアクセスフロア用支持具１によれば、次の（ａ）〜（ｅ）のような効果がある。
【００３９】
（ａ）  フロアパネル５０の裏面側と支持脚４０との間は、絶縁キャップ２０により電気的に絶縁されているので、これらの間の絶縁破壊を防止できる。言い換えれば、複数敷き詰められたフロアパネル５０−１〜５０−４の境界に生じる沿面放電を防止できる。
【００４０】
特に、絶縁キャップ２０の側壁２２の高さを調整することにより、所望の耐圧性能のフリーアクセスフロアを容易に構築できる。即ち、数種類の絶縁キャップ２０を用意しておき、選択することで、例えば、フロアパネル５０の裏面側と支持脚４０との間の耐圧性能が、４０ｋＶ以上の耐圧性能を有するフリーアクセスフロアを容易に構築できる。
【００４１】
（ｂ）  第１金具１０、絶縁キャップ２０及び第２金具３０は、これらの部品間が嵌合及び接着剤により結合されてユニット化されているので、現場でのフリーアクセスフロアの構築作業を簡単且つ的確に行うことができる。
【００４２】
（ｃ）  フロアパネル５０の裏面側と絶縁キャップ２０との間には、第１金具１０が介在し、更に、その絶縁キャップ２０と支持脚４０側との間には、第２金具３０が介在しているので、人の移動や地震等によって、フロアパネル５０に垂直方向や水平方向に大きな荷重の振動が加わっても、絶縁キャップ２０の摩耗や破損を防止できる。特に、第１金具１０側の第１台座部１１と絶縁キャップ２０側の第１凹部２１とが平らな面で接合し、絶縁キャップ２０側の第２凹部２３と第２金具３０側の第２台座部３１とが平らな面で接合しているので、前記振動に対して絶縁キャップ２０の機械的強度が大きい。
【００４３】
（ｄ）  第１金具１０、絶縁キャップ２０及び第２金具３０は、これらの部品間が嵌合及び接着剤により結合されているので、前記のように、垂直方向や水平方向に大きな荷重の振動が加わっても、前記部品間ががたつかず、絶縁キャップ２０の破損や、機械的強度及び絶縁性の低下を防止できる。
【００４４】
（ｅ）  各フロアパネル５０−１〜５０−４側の装着穴５１を、各第１凸部１２−１〜１２−４に螺子等で固定すれば、各フロアパネル５０−１〜５０−４がより安定化する。
【実施例２】
【００４５】
（実施例２の構成）
図６（ａ）、（ｂ）は、本考案の実施例２におけるフリーアクセスフロア用支持具を示す構成図であり、同図（ａ）はフリーアクセスフロア用支持具の斜視図、及び同図（ｂ）は同図（ａ）の分解斜視図である。この図６（ａ）、（ｂ）において、本考案の実施例１を示す図１（ａ）、（ｂ）中の要素と共通の要素には共通の符号が付されている。
【００４６】
図７（ａ）〜（ｃ）は、図６中の第１金具を示す構成図であり、同図（ａ）は平面図、同図（ｂ）は同図（ａ）中のＨ３１−Ｈ３２線断面図、及び同図（ｃ）は底面図である。図８（ａ）〜（ｃ）は、図６中の絶縁キャップを示す構成図であり、同図（ａ）は平面図、同図（ｂ）は同図（ａ）中のＨ４１−Ｈ４２線断面図、及び同図（ｃ）は底面図である。更に、図９（ａ）〜（ｄ）は、図６中の第２金具を示す構成図であり、同図（ａ）は平面図、同図（ｂ）は側面図、同図（ｃ）は同図（ａ）中のＨ５１−Ｈ５２線断面図、及び同図（ｄ）は底面図である。
【００４７】
図６（ａ）、（ｂ）に示すように、本実施例２のフリーアクセスフロア用支持具１Ａでは、実施例１の第１金具１０、絶縁キャップ２０及び第２金具３０とは異なる形状の第１金具１０Ａ、絶縁キャップ２０Ａ及び第２金具３０Ａと、実施例１と同様の支持脚４０とにより構成されている。
【００４８】
図６（ｂ）及び図７（ａ）〜（ｃ）に示すように、本実施例２の第１金具１０Ａでは、第１台座部１１の裏面側において、４つの第１凸部１２−１〜１２−４間に、複数（例えば、４つ）の円筒状の第２凸部１４（＝１４−１〜１４−４）が突設されている。この第１金具１０Ａのその他の構成は、実施例１の第１金具１０と同様である。
【００４９】
図６（ｂ）及び図８（ａ）〜（ｃ）に示すように、本実施例２の絶縁キャップ２０Ａでは、第１凹部２１内の底面において、第１金具１０Ａ側の４つの第２凸部１４−１〜１４−４をそれぞれ嵌入するための４つの断面円形の第３凹部２４（＝２４−１〜２４−４）が形成されている。更に、第２凹部２３内の底面において、４つの第３凹部２４−１〜２４−４間に、複数（例えば、４つ）の断面方形の第４凹部２５（＝２５−１〜２５−４）が形成されている。この絶縁キャップ２０Ａのその他の構成は、実施例１の絶縁キャップ２０と同様である。
【００５０】
図６（ｂ）及び図９（ａ）〜（ｄ）に示すように、本実施例２の第２金具３０Ａでは、第２台座部３１の表面側において、絶縁キャップ２０Ａ側の４つの第４凹部２５−１〜２５−４にそれぞれ嵌入するための４つの断面方形の第３凸部３４（＝３４−１〜３４−４）が突設されている。各第３突部３４の中央には、螺子等を挿入するための断面円形の貫通孔３４ａが形成されている。第２台座部３１において、４つの第３凸部３４−１〜３４−４間には、複数（例えば、４つ）の断面円形の取り付け穴３５（＝３５−１〜３５−４）が形成されている。この取り付け穴３５−１〜３５−４は、絶縁キャップ２０Ａ側の第３凹部２４−１〜２４−４に対応する位置に配置され、第２台座部３１を貫通している。更に、各第３凸部３４に形成された貫通孔３４ａの下端周辺と、筒状部材３２の外周面上部との間には、第２台座部３１を補強するための複数の三角形のリブ３６が形成されている。この第２金具３０Ａのその他の構成は、実施例１の第２金具３０と同様である。
【００５１】
（実施例２の製造・使用例）
絶縁キャップ２０Ａの第１凹部２１内の底面及び第２凹部２３内の底面にそれぞれ接着剤を塗布し、第１金具１０Ａ側の第１台座部１１裏面をその第１凹部２１内に嵌め込んで、第１金具１０Ａ側の第２凸部１４−１〜１４−４を絶縁キャップ２０Ａ側の第３凹部２４−１〜２４−４へ嵌入する。更に、第２金具３０Ａ側の第２台座部３１表面をその第２凹部２３内に嵌め込んで、第２台座部３１側の第３凸部３４−１〜３４−４を絶縁キャップ２０Ａ側の第４凹部２５−１〜２５−４へ嵌入する。これにより、第１金具１０Ａ、絶縁キャップ２０Ａ及び第２金具３０Ａからなる所望の耐圧性能を有する金具ユニットが製造できる。
【００５２】
次に、実施例１と同様に、支持脚４０側のベース部４２をボルト等で床に固定し、ナット４４を回転させて高さを調整し、第２止め螺子４５を締め付けてそのナット４４を螺子部４３に固定する。金具ユニットの筒状部材３２を螺子部４３に被せてナット４４上に載置し、第１止め螺子３３を締め付けてその筒状部材３２を螺子部４３に固定する。
【００５３】
その後、実施例１と同様に、４枚のフロアパネル５０−１〜５０−４の裏面側の各装着穴５１内に４つの第１凸部１２−１〜１２−４をそれぞれ嵌め込めば、フロアパネル５０−１〜５０−４が水平に保持され、フリーアクセスフロアが完成する。なお、各フロアパネル５０−１〜５０−４側の装着穴５１を、各第１凸部１２−１〜１２−４に螺子等で固定しても良い。
【００５４】
（実施例２の効果）
本実施例２のフリーアクセスフロア用支持具１Ａによれば、実施例１の（ａ）〜（ｅ）の効果と略同様の効果があり、更に、次のような効果もある。
【００５５】
本実施例２の金具ユニットでは、第１金具１０Ａ側の第２凸部１４−１〜１４−４が絶縁キャップ２０Ａ側の第３凹部２４−１〜２４−４に嵌入され、第２台座部３１側の第３凸部３４−１〜３４−４が絶縁キャップ２０Ａ側の第４凹部２５−１〜２５−４に嵌入されている。そのため、第１金具１０Ａ、絶縁キャップ２０Ａ及び第２金具３０Ａの結合強度が大きく、人の移動や地震等によるフロアパネル５０の水平方向の振動に対して、機械的強度が大きい。更に、第２金具３０Ａ側の第２台座部３１の裏面側に、複数のリブ３６が形成されているので、第２台座部３１の機械的強度が大きい。
【００５６】
（変形例）
本考案は、上記実施例１、２に限定されず、種々の利用形態や変形が可能である。例えば、第１金具１０，１０Ａ側の第１台座部１１、絶縁キャップ２０，２０Ａ側の第１凹部２１、第２凹部２３、及び第２金具３０，３０Ａ側の第２台座部３１は、略方形であるが、円形等の他の形状に変更しても良い。又、支持脚４０は、図示以外の形状や構造に変更しても良い。
【符号の説明】
【００５７】
１０，１０Ａ      第１金具
１１      第１台座部
１２，１２−１〜１２−４      第１凸部
１４，１４−１〜１４−４      第２凸部
２０，２０Ａ      絶縁キャップ
２１      第１凹部
２２      側壁
２３      第２凹部
２４，２４−１〜２４−４      第３凹部
２５，２５−１〜２５−４      第４凹部
３０，３０Ａ      第２金具
３１      第２台座部
３２      筒状部材
３３      第１止め螺子
３４，３４−１〜３４−４      第３凸部
４０      支持脚
４１      支柱
４２      ベース部
４３      螺子部
４４      高さ調整用ナット
４５      第２止め螺子
５０      フロアパネル
５１      装着穴
【図１】
0003175054.tif 000003
【図２】
0003175054.tif 000004
【図３】
0003175054.tif 000005
【図４】
0003175054.tif 000006
【図５】
0003175054.tif 000007
【図６】
0003175054.tif 000008
【図７】
0003175054.tif 000009
【図８】
0003175054.tif 000010
【図９】
0003175054.tif 000011